(57)【要約】      （修正有）【課題】剥離層とマスクシートの分離が簡単なパック用フェイスマスクを提供する。【解決手段】マスクシート１０（不織布等材質）の上部に、剥離層２０（パール紙等材質）を設け、マスクシート１０と剥離層２０には顔の目、唇等に対応させる穴１１と穴２１を設ける。また、マスクシート１０のエッジ１３、剥離層２０のエッジ２６に、中心方向に向かって設計された一本以上のカット部１２、カット部２２を設ける。剥離層２０にはカットした若干の浸透カット模様２３を一面に散らばらせる。浸透カット模様２３は、直線模様、斜め模様、円弧模様、文字、花模様等の各種形状にしてもよく、剥離層２０周囲には、非限定位置に一本或いは一本以上の孤形切込２４を設ける。孤形切込２４は頂部２４１の両側に円弧部２４２を形成し、円弧部２４２と連結部２４３は連結する。連結部２４３の末端には屈曲部２４４を設け、孤形切込２４には立体の折返し耳を形成し、孤形切込２４の頂部２４１とカット部２２を連接させる。【選択図】図２
0003187733.tif 000002
【実用新案登録請求の範囲】
【請求項１】
マスクシートの上部に剥離層を設けるパック用フェイスマスクであって、
前記剥離層上には、カットした浸透カット模様を一面に散らばらせ、前記剥離層周囲の非限定位置には一本或いは一本以上の孤形切込を設け、前記孤形切込は、頂部の両側に円弧部を形成し、前記円弧部と連結部とを連結し、前記連結部の末端には屈曲部を設け、前記孤形切込には立体の折返し耳を形成することを特徴とするパック用フェイスマスク。
【請求項２】
前記マスクシート及び前記剥離層のエッジの相対箇所に、中心方向に向かって設計する一本以上のカット部を設け、尚且つ、前記剥離層のカット部の末端は前記孤形切込の頂部に連接することを特徴とする請求項１に記載のパック用フェイスマスク。
【請求項３】
前記浸透カット模様は、円弧模様とすることを特徴とする請求項１に記載のパック用フェイスマスク。
【考案の詳細な説明】
【技術分野】
【０００１】
本考案は、特に、美容液をマスクシートに染み込ませるもので、使用時での剥離層とマスクシートの分離が簡単なパック用フェイスマスクに関する。
【背景技術】
【０００２】
パック用フェイスマスクは台湾女性のスキンケアの基本商品である。主に、不織布に美容液を加えて、構成された美顔、スキンケア用フェイスマスクであり、使用者はフェイスマスクを顔にのせて美容液を肌に吸収させて、美顔効果を発揮する。報告によれば、台湾においてフェイスマスクは年間9000万枚以上が使用されており、これからもフェイスマスクの魅力が理解される。
【０００３】
公知のフェイスマスクは面積減少のために、マスクシート（不織布）上に非通気性材質のパール紙を重ね合わせ、包装袋内に入れて携帯の利便を図っているが、マスクシートが美容液を吸収する際、非通気性材質のパール紙との分離が難しい。そこで、業界では、特許文献１に示したような、外周に作用部を設けた非通気性材質のシート（外側部）を創出し、シート及び穴の設計によって、フェイスマスクとの分離に利便を図った。上部に設けた若干の穴１１は、美容液を浸透させるものである。しかし、特許文献１は、使用時に次のような欠点が見られる。
（１）顔にのせる時、手の指で外側部１の作用部に露出したフェイスマスク２を押して、別の手の指で引っ掻いてめくって剥がす。美容液に粘性があるため、力を加えて引っ張る外側部１の点を探し続けなくてはならない故、それと外側部１及びフェイスマスク２を分離させる動作は簡単ではない。
（２）特許文献１の外側部１は穴１１から美容液を浸透させるが、折り畳んだ際、穴１１は完全な一つの穴とはならないため、浸透作用は好ましくない。しかも、穴１１が小さく浸透効果も顕著ではない。よって、包装袋内に多量の美容液を注入すると、使用時にマスクシートから滴り落ちる状況が発生し、顔にのせた際に美容液が落ちて衣服をぬらしてしまうこともあり、使用上の不便がある。
【０００４】
よって、パック用フェイスマスクは、使用する際に剥がし易く、美容液をマスクシートに浸透させることができ、湿り過ぎないことが非常に重要であり、その点において改善の必要性がある。
【先行技術文献】
【特許文献】
【０００５】
【特許文献１】台湾特許第095204783号明細書
【考案の概要】
【考案が解決しようとする課題】
【０００６】
本考案の主要な目的は、使用時に分離させ易い特性を有すると共に、マスクシートに一定の潤いを持たせ、湿り過ぎることのないパック用フェイスマスクである。
【０００７】
本考案のもう一つの目的は、マスクシート上部の剥離層上に、カットした若干の浸透カット模様を一面に散らばらせるパック用フェイスマスクの提供にある。前記浸透カット模様は、各種形状とすることが可能であり、浸透カット模様は、開いた立体状となる。浸透カット模様自身の設計によって、注入した美容液をマスクシートに導くため、美容液はマスクシートによって吸収される。また、浸透カット模様の設計により、剥離層の非平滑面に抓み上げることができる若干の「点」を形成し、剥離層が力を加える点を強化する。
【課題を解決するための手段】
【０００８】
前記目的を達成するために、開示するパック用フェイスマスクは主に、マスクシートの上部に剥離層を設け、剥離層周囲の非限定位置には一本或いは一本以上の孤形切込を設ける。孤形切込は頂部の両側に円弧部を形成し、円弧部と連結部を連結する。連結部の末端には屈曲部を設け、孤形切込には立体の折返し耳を形成し、孤形切込の頂部とカット部を連接させる。カット部はエッジまで伸び、浸透カット模様及び折返し耳等の設計によって、使用する際は、マスクシートと剥離層の分離に利便性がもたらされる。また、孤形切込の屈曲部及び連結部の設計により、剥離層を引っ張る際に応力方向が変化して分散され、折返し耳が引っ張られて切れることがないよう強化する。
【考案の効果】
【０００９】
本考案のパック用フェイスマスクは、使用時に分離させ易い特性を有すると共に、マスクシートに一定の潤いを持たせ、湿り過ぎることのない効果を備える。
【図面の簡単な説明】
【００１０】
【図１】本考案の組み合わせを示す図である。
【図２】本考案の分解図である。
【図３】本考案の操作図（１）である。
【図４】本考案の操作図（２）である。
【考案を実施するための形態】
【００１１】
以下に本考案の技術内容、構造特徴、達成する目的及び作用効果について、以下に例を挙げ並びに図面を組み合わせて詳細に説明する。
【００１２】
図１及び図２に示すとおり、本考案は主に、マスクシート１０（不織布等材質）の上部に、剥離層２０（パール紙等材質）を設け、マスクシート１０と剥離層２０には顔の目、唇等に対応させる穴１１と穴２１を設ける。これは公知技術内容であるため、ここでは詳細説明を加えない。また、マスクシート１０のエッジ１３、剥離層２０のエッジ２６には、中心方向に向かって設計された一本以上のカット部１２、カット部２２を設ける。
【００１３】
剥離層２０にはカットした若干の浸透カット模様２３を一面に散らばらせる。浸透カット模様２３は、例えば直線模様、斜め模様、円弧模様、文字、花模様等の各種形状にしてもよく、剥離層２０周囲には、非限定位置に一本或いは一本以上の孤形切込２４を設ける。孤形切込２４は頂部２４１の両側に円弧部２４２を形成し、円弧部２４２と連結部２４３は連結する。連結部２４３の末端には屈曲部２４４を設け、孤形切込２４には立体の折返し耳２５を形成し（図３参照）、孤形切込２４の頂部２４１とカット部２２を連接させる。
【００１４】
前記構造において、マスクシート１０と剥離層２０を折り畳み、包装袋に入れる時（未表示）、剥離層２０の浸透カット模様２３がカット形状であるため、折り畳み時には開いた立体状となる。また、浸透カット模様２３自身の設計によって、注入した美容液をマスクシート１０に導くため、美容液はマスクシート１０に吸収される。よって、美容液を過度に注入することない故に、マスクシート１０が湿り過ぎて滴れ落ちる状況を大幅に改善する。
【００１５】
続いて、図３及び図４に示した本考案の浸透カット模様２３の設計は、剥離層２０の非平滑面に抓み上げることができる若干の「点」を形成し、剥離層２０周囲の非限定位置には、一本或いは一本以上の孤形切込２４を設ける。使用時にカット部２２を押すと、頂部２４１及び円弧部２４２を上に持ち上げると、孤形切込２４に立体の折返し耳２５を形成することができるため、使用する際、使用者はマスクシート１０から簡単に分離できる。また、孤形切込２４に連結部２４３を設けてあるため、使用者が引っ張る際には分散作用があるため、引っ張って切れる状況が起き難い。また、加えて、屈曲部２４４の設計により、引っ張る際には応力方向変更が生じ、剥離層２０をマスクシート１０から剥がす時に、折返し耳２５が引っ張られて切れることがないよう強化する。
【００１６】
総合すると、本考案は確実にその予期された作用効果と目的を達成し、ゆえに実用性に優れた創作であり、実用新案登録の要件を満たしている。
【符号の説明】
【００１７】
（従来のフェイスマスク）
１      外側部
２      フェイスマスク
（本考案のフェイスマスク）
１０          マスクシート
１１          穴
１２          カット部
１３          エッジ
２０          剥離層
２１          穴
２２          カット部
２３          浸透カット模様
２４          孤形切込
２４１        頂部
２４２        円弧部
２４３        連結部
２４４        屈曲部
２５          折返し耳
２６          エッジ
【図１】
0003187733.tif 000003
【図２】
0003187733.tif 000004
【図３】
0003187733.tif 000005
【図４】
0003187733.tif 000006